(57)【要約】【課題】この発明は、テレビ番組の視聴モード時に表示器を横長の状態として使用し易くなるテレビ放送受信機能付き携帯型電話機を提供することを目的とする。【解決手段】可動表示部はその上部幅中央を中心として電話機本体に回転可能に支持されており、可動表示部は、電話機本体の正面側に重ね合わされた第１位置、第１位置から電話機本体に対して所定方向に９０度回転せしめられた第２位置および第１位置から電話機本体に対して所定方向に１８０度回転せしめられた第３位置で固定および固定解除可能となっており、可動表示部が第１、第２および第３位置のいずれの位置にあるかに応じて、表示器に対する表示画像の向きを規定するための表示モードが自動的に設定される。【選択図】  図２
2005012344.tif 000002
【特許請求の範囲】
【請求項１】
テレビ放送受信機能付き携帯型電話機において、電話機本体と、電話機本体の前面側に常時は重ね合わされた状態で配されかつ縦長の表示器が前向きに設けられている可動表示部とを備えており、可動表示部はその上部幅中央を中心として電話機本体に回転可能に支持されており、可動表示部は、電話機本体の正面側に重ね合わされた第１位置、第１位置から電話機本体に対して所定方向に９０度回転せしめられた第２位置および第１位置から電話機本体に対して所定方向に１８０度回転せしめられた第３位置で固定および固定解除可能となっており、可動表示部が第１、第２および第３位置のいずれの位置にあるかに応じて、表示器に対する表示画像の向きを規定するための表示モードが自動的に設定されることを特徴とするテレビ放送受信機能付き携帯型電話機。
【発明の詳細な説明】
【０００１】
【発明の属する技術分野】
この発明は、テレビ放送受信機能付き携帯型電話機に関する。
【０００２】
【従来の技術】
近年、携帯型電話機の普及率が高くなっている。携帯型電話機には、液晶表示器等の表示器が搭載されているため、携帯型電話機にテレビ放送を受信する機能を付加することにより、表示器にテレビ番組を表示させることが可能となる。
【０００３】
ところで、携帯型電話機に搭載されている表示器は、一般的に縦長の状態で使用されるようになっているのに対し、テレビ放送受信機に搭載されている表示器は横長の状態で使用されている。したがって、テレビモード時には、携帯型電話機に搭載されている表示器を横長の状態として、使用できるようにすることが好ましい。
【０００４】
【発明が解決しようとする課題】
この発明は、テレビ番組の視聴モード時に表示器を横長の状態として使用し易くなるテレビ放送受信機能付き携帯型電話機を提供することを目的とする。
【０００５】
【課題を解決するための手段】
この発明は、テレビ放送受信機能付き携帯型電話機において、電話機本体と、電話機本体の前面側に常時は重ね合わされた状態で配されかつ縦長の表示器が前向きに設けられている可動表示部とを備えており、可動表示部はその上部幅中央を中心として電話機本体に回転可能に支持されており、可動表示部は、電話機本体の正面側に重ね合わされた第１位置、第１位置から電話機本体に対して所定方向に９０度回転せしめられた第２位置および第１位置から電話機本体に対して所定方向に１８０度回転せしめられた第３位置で固定および固定解除可能となっており、可動表示部が第１、第２および第３位置のいずれの位置にあるかに応じて、表示器に対する表示画像の向きを規定するための表示モードが自動的に設定されることを特徴とする。
【０００６】
【発明の実施の形態】
以下、図面を参照して、この発明の実施の形態について説明する。
【０００７】
図１の（ａ）、（ｂ）、図２の（ａ）、（ｂ）および図３の（ａ）、（ｂ）は、テレビ放送受信機能付き携帯型電話機の外観を示している。
【０００８】
図１に示すように、テレビ放送受信機能付き携帯型電話機１は、正面から見て略縦長矩形の電話機本体１０と、電話機本体１０の前面側に常時は重ね合わされた状態で配置されかつ縦長の表示器２１が前向きで設けられている可動表示部２０とを備えている。
【０００９】
電話機本体１０の後面はほぼ面一の平坦面となっており、電話機本体１０の前面の上部は、その前後方向の厚さが上端に向かって徐々に厚くなるような傾斜面１１に形成されている。電話機本体１０の前面の傾斜面１１より下側には、図２（ａ）、図３（ａ）に示すように、複数のキーが設けられている。また、電話機本体１０には、伸縮式のアンテナ１２が設けられている。
【００１０】
可動表示部２０は、正面から見て略縦長矩形であり、その上端縁は正面から見て逆Ｕ形に形成されている。可動表示部２０の後面の上部は、電話機本体１０の前面の傾斜面１１と平行な傾斜面２２に形成されている。
【００１１】
可動表示部２０は、その上部幅中央を中心として電話機本体１０に回転可能に支持されている。つまり、電話機本体１０と可動表示部２０とを回転可能に連結するヒンジ２３によって、可動表示部２０は電話機本体１０に回転可能に支持されている。
【００１２】
可動表示部２０は、電話機本体１０と重ね合わされた第１位置（図１に示す位置）、第１位置から電話機本体１０に対して時計方向に９０度回転せしめられた第２位置（図２に示す位置）および第１位置から電話機本体１０に対して時計方向に１８０度回転せしめられた第３位置（図３に示す位置）それぞれにおいて、可動表示部２０を電話機本体１０に係止させる機構（図示略）およびその係止を解除する機構（図示略）によって、電話機本体１０に対して固定可能であるとともに、その固定を解除することも可能となっている。
【００１３】
電話機本体１０には、可動表示部２０が第１位置、第２位置および第３位置に固定されたときに、可動表示器２０の位置を検出するための検出手段（図示略）が設けられている。そして、可動表示部２０が第１位置に固定されていることが検出された場合には、表示モードを第１縦長表示モードとする。可動表示部２０が第２位置に固定されていることが検出された場合には、表示モードを横長表示モードとする。可動表示部２０が第３位置に固定されていることが検出された場合には、表示モードを第２縦長表示モードとする。
【００１４】
以下、表示モードについて説明する。
【００１５】
表示器２１の上下左右を、図１（ａ）を基準として定義することにする。つまり、図１（ａ）において、表示器２１の上側の辺を表示器２１の上辺Ｕ、表示器２１の下側の辺を表示器２１の下辺Ｄ、表示器２１の左側の辺を表示器２１の左辺Ｌ、表示器２１の右側の辺を表示器２１の右辺Ｒと定義する。
【００１６】
第１縦長表示モードでは、図１（ａ）に示すように、表示されるべき画像の上側が表示器２１の上辺Ｕ側に対応し、画像の下側が表示器２１の下辺Ｄに対応するようにして、各種の画像が表示器２１に表示される。
【００１７】
第２縦長表示モードでは、図３（ａ）に示すように、表示されるべき画像の上側が表示器２１の下辺Ｄ側（図３のように表示部２０が第３位置にある場合には上側に位置する辺）に対応し、画像の下側が表示器２１の上辺Ｕ（図３のように表示部２０が第３位置にある場合には下側に位置する辺）に対応するようにして、各種の画像が表示器２１に表示される。
【００１８】
横長表示モードでは、図２（ａ）に示すように、表示されるべき画像の上側が表示器２１の左辺Ｌ側（図２のように表示部２０が第２位置にある場合には上側に位置する辺）に対応し、画像の下側が表示器２１の右辺Ｒ（図２のように表示部２０が第２位置にある場合には下側に位置する辺）に対応するようにして、各種の画像が表示器２１に表示される。
【００１９】
通常、待ち状態では可動表示部２０は第１位置に保持されているので、第１縦長表示モードで待ち受け画像、着信画像等が表示される。テレビ視聴、通話、メールのために使用しているときには、キー操作が行えるように、可動表示部２０は第３位置または第２位置に保持される。可動表示部２０が第３位置に保持されている場合には、画像は第２縦長表示モードで表示され、可動表示部２０が第２位置に保持されている場合には、画像は横長表示モードで表示される。
【００２０】
上記実施の形態によれば、テレビ番組の視聴モード時に表示器を横長の状態として使用し易くなる。また、可動表示部２０の位置（第１位置、第２位置および第３位置）に応じて表示モードが自動的に切り替えられるので、表示器２１を縦長状態で使用したり、横長状態で使用したりすることができるようになる。
【００２１】
【発明の効果】
この発明によれば、テレビ番組の視聴モード時に表示器を横長の状態として使用し易くなる。
【図面の簡単な説明】
【図１】テレビ放送受信機能付き携帯型電話機の正面図およびその側面図である。
【図２】図１の状態から、可動表示部２０を電話機本体１０に対して時計方向に９０度回転させた状態を示す正面図およびその側面図である。
【図３】図１の状態から、可動表示部２０を電話機本体１０に対して時計方向に１８０度回転させた状態を示す正面図およびその側面図である。
【符号の説明】
１０  電話機本体
２０  可動表示部
２１  表示器
２３  ヒンジ
【図１】
2005012344.tif 000003
【図２】
2005012344.tif 000004
【図３】
2005012344.tif 000005